(57)【要約】【課題】  従来、コンクリートブロック等を使用する漁礁では、コンクリート表面や木材表面に海藻が定着し育成することはやや困難であって、海藻が十分に定着成長或いは魚類が定着繁殖するには多くの時間を要し、効率が悪かった。【解決手段】  海中で海藻類の定着がよく、且つ、ヨコエビ類やフナクイムシ類などの魚類にとって好適な餌となる生物の定着成長に与って効果があり、海藻自身の養殖漁業として、さらに漁礁或いは魚類の産卵場所及びウニやアワビ等の育成場所として漁業資源の賦活に寄与する海藻育成体を得ることを、棒状及び／又は索状の材料を用いて籠状に形成した枠体中に少なくとも間伐材または建設廃材を原料とする木材チップを含む林産物や穀類副産物などの植物性材料がネット状の袋に収納されてなる構成要素を収納してなる構造体を用いるという簡便な方法によって実現した。【選択図】図１
2008048687.tif 000002
【特許請求の範囲】
【請求項１】
海中に設置して魚類の定着育成及び／又は魚類の餌となる生物の育成増殖及び／又は海藻類の付着育成を図るための構造体であって、該構造体は棒状及び／又は索状の材料を用いて籠状に形成した枠体中に少なくとも間伐材または建設廃材を原料とする木材チップを含む林産物や穀類副産物などの植物性材料がネット状の袋に収納されてなる構成要素を収納してなる事を特徴とする海中設置用構造体。
【請求項２】
海中に設置して魚類の定着育成及び／又は魚類の餌となる生物の育成増殖及び／又は海藻類の付着育成を図るための構造体であって、該構造体は棒状及び／又は索状の材料を用いて籠状に形成した枠体中に少なくとも間伐材または建設廃材を原料とする木材チップを含む林産物や穀類副産物などの植物性材料がネット状の袋に収納されてなる構成要素を収納してなり、該籠状に形成した枠体はこれに収納した植物性材料がネット状の袋に収納されてなる構成要素を含めて海中に沈下するに十分な重量を有する事を特徴とする、請求項１記載の海中設置用構造体。
【請求項３】
海中に設置して魚類の定着育成及び／又は魚類の餌となる生物の育成増殖及び／又は海藻類の付着育成を図るための構造体であって該構造体は棒状及び／又は索状の材料を用いて籠状に形成した枠体中に少なくとも間伐材または建設廃材を原料とする木材チップを含む林産物や穀類副産物などの植物性材料がネット状の袋に収納されてなる構成要素を収納してなり、該籠状に形成した枠体中に同時に天然石、コンクリート塊、金属塊等を同時に収納してなる事を特徴とする、請求項１乃至請求項２記載記載の海中設置用構造体。
【請求項４】
海中に設置して魚類の定着育成及び／又は魚類の餌となる生物の育成増殖及び／又は海藻類の付着育成を図るための構造体であって該構造体は棒状及び／又は索状の材料を用いて籠状に形成した枠体中に少なくとも間伐材または建設廃材を原料とする木材チップを含む林産物や穀類副産物などの植物性材料がネット状の袋に収納されてなる構成要素を収納してなり、該籠状に形成した枠体はその一部に突起を有する事を特徴とする、請求項１乃至請求項３記載の海中設置用構造体。
【請求項５】
海中に設置して魚類の定着育成及び／又は魚類の餌となる生物の育成増殖及び／又は海藻類の付着育成を図るための構造体を用いた水産資源の賦活方法であって、該構造体は棒状及び／又は索状の材料を用いて籠状に形成した枠体中に少なくとも間伐材または建設廃材を原料とする木材チップを含む林産物や穀類副産物などの植物性材料がネット状の袋に収納されてなる構成要素を収納してなり、該構造体を当初は海藻類の付着育成が盛んな浅海に設置して海藻類を定着させた後に魚類やアワビ、ウニ等の水産資源の賦活に有効な海域に移設し、これにより魚類の定着育成及び／又は海藻類の付着育成を図ることを特徴とする水産資源の賦活方法。
【請求項６】
海中に設置して魚類の定着育成及び／又は魚類の餌となる生物の育成増殖及び／又は海藻類の付着育成を図るための構造体を用いた水産資源の賦活方法であって、該構造体は棒状及び／又は索状の材料を用いて籠状に形成した枠体中に少なくとも間伐材または建設廃材を原料とする木材チップを含む林産物や穀類副産物などの植物性材料がネット状の袋に収納されてなる構成要素を収納してなり、該構成要素のに含まれる植物性成分や木質成分がこれを捕食するヨコエビ類やフナクイムシ類などにより消費された後に、該海中設置用構造体を引上げ、植物性材料がネット状の袋に収納されてなる構成要素を交換して再利用することを特徴とする、請求項５記載の水産資源の賦活方法。
【発明の詳細な説明】
【技術分野】
【０００１】
本発明は、主に海中に設置して海藻類の付着育成及び／又は魚類の定着育成を図るための構造体に関するものである。
【背景技術】
【０００２】
従来、海中に設置して海藻類の付着育成及び／又は魚類の定着育成を図るための構造体としてはコンクリートブロック、木材などを海中に投入、沈下させることが行われていた。また、井桁状の構造物や不要になった船舶なども用いられていた。
【特許文献１】特開２００５−００６６２５号公報
【発明の開示】
【発明が解決しようとする課題】
【０００３】
しかし、従来の方法によっては、コンクリート表面や木材表面に海藻が定着し育成することはやや困難であって、海藻が十分に定着成長或いは魚類が定着繁殖するには多くの時間を要し、効率が悪かった。また、木材にはその木質を摂食するヨコエビ類やフナクイムシ類などが成育し、魚類の定着繁殖に資する可能性があるが、従来のバルクでの投入ではこれら生物の定着育成が遅く、効果発現は限定的であった。
【０００４】
また、従来の方法によっては魚類の定着育成及び／又は魚類の餌となる生物の育成増殖及び／又は海藻類の付着育成を図り、漁業資源の賦活に寄与するという経済効果に対して、非常に経済効率が悪かった。
【発明の効果】
【０００５】
本発明は、海中に設置して魚類の定着育成及び／又は魚類の餌となる生物の育成増殖及び／又は海藻類の付着育成を図るための構造体であって、該構造体は棒状及び／又は索状の材料を用いて籠状に形成した枠体中に少なくとも間伐材または建設廃材を原料とする木材チップを含む林産物や穀類副産物などの植物性材料がネット状の袋に収納されてなる構成要素を収納してなる。
前記の方法を用いる事により、簡便な方法によって安価に非常に海藻類の定着が容易く海藻自身の養殖漁業として有効であり、さらに漁礁或いは魚類の産卵場所として漁業資源の賦活に寄与する海中設置用構造体を得ることが出来、以って産業に多大なる貢献をする事が出来るものである。
【発明を実施するための最良の形態】
【０００６】
簡便な方法によって非常に海藻類の定着が活発で且つその成長が早く、海藻自身の養殖漁業として、さらに漁礁或いは魚類の産卵場所として漁業資源の賦活に寄与する海藻育成体を得ることを、海中に設置して魚類の定着育成及び／又は魚類の餌となる生物の育成増殖及び／又は海藻類の付着育成を図るための構造体であって、該構造体は棒状及び／又は索状の材料を用いて籠状に形成した枠体中に少なくとも間伐材または建設廃材を原料とする木材チップを含む林産物や穀類副産物などの植物性材料がネット状の袋に収納されてなる構成要素を収納してなる構造体を用いることにより実現した。
【実施例１】
【０００７】
図１は、本発明の１実施例の略図である。本実施例では、海中に設置して魚類の定着育成及び／又は魚類の餌となる生物の育成増殖及び／又は海藻類の付着育成を図るための構造体であって、該構造体は棒状及び／又は索状の材料を用いて籠状に形成した枠体中に少なくとも間伐材または建設廃材を原料とする木材チップを含む林産物や穀類副産物などの植物性材料がネット状の袋に収納されてなる構成要素を収納してなる構造体を漁礁として海中に投入設置して用いた。ここで、図中１１は木材チップを含む林産物や穀類副産物などの植物性材料がネット状の袋に収納されてなる構成要素、１２は金属棒を材料とした籠状の枠体を示す。
【０００８】
ここで、林産物や穀類副産物などの植物性材料が海藻類の付着育成及び／又は魚類の定着育成に与える影響について述べる。一般に、漁場として好適な沿岸海域には陸上から植物性成分が落ち葉や流木をはじめとする様々な形態で供給され、これにより育成する生物を捕食して魚類が定着成長する。この実例として、北海道立水産孵化場の下田和孝氏らは論文「森林からサクラマス幼魚への物質移動経路の推定」に於いて、ヨコエビ類及び鱗翅目幼虫を介して森林から供給される植物由来の栄養がサクラマスの成長を支えていることを示した。（平成１５年３月刊、重点領域特別報告書「森林が河口域の水産資源に及ぼす影響の評価」６０ページより７７ページ）
【０００９】
また、北海道立中央水産試験場の櫻井泉氏らは論文「濃昼川河口域の落ち葉だまりに生息するトンガリキタヨコエビとクロガシラガレイ若齢魚の生物生産」に於いて、クロガシラガレイの成長に寄与する栄養のうち２０％以上がトンガリキタヨコエビを介して落ち葉を主とする植物由来の栄養に依存していることを示した。（平成１５年３月刊、重点領域特別報告書「森林が河口域の水産資源に及ぼす影響の評価」１０３ページより１１６ページ）
【００１０】
筆者らは、以前より緑化工事、土木工事などで利用する少なくとも間伐材または建設廃材を原料とする木材チップを含む林産物や穀類副産物などの植物性材料がネット状の袋に収納されてなる構造体に関してその用途等を鋭意研究してきたが、前掲の論文等を鑑みて今般これを海中で活用することを見出し、本発明に至ったものである。
【００１１】
本実施例では、海中に設置して魚類の定着育成及び／又は魚類の餌となる生物の育成増殖及び／又は海藻類の付着育成を図るための構造体であって、該構造体は棒状及び／又は索状の材料を用いて籠状に形成した枠体中に少なくとも間伐材または建設廃材を原料とする木材チップを含む林産物や穀類副産物などの植物性材料がネット状の袋に収納されてなる構成要素を収納してなる構造体を用いることにより、海中設置用構造体を得た。
【００１２】
図２は、本発明にかかる海中設置用構造体に用いる枠体の一例を示す図である。ここで、２１は蓋部である。枠体は蓋部分が開閉するように構成し、海中設置用構造体を収納した後蓋部分を閉じ、針金等で蓋を固定することで簡単に海中設置用構造体を構成することが出来る。
【００１３】
ここで、本発明にかかる枠体は金属棒によって構成されることに限定されるものではなく、枠体を形成しうる材料であれば棒状、索状等、任意の形状の材料を用いて構成してよい。また、枠体の材質についても限定はなく、金属、コンクリート等任意の材料を用いることが出来る。ただし、枠体はこれに植物性材料がネット状の袋に収納されてなる構成要素を収納したうえで海中に投入した際に、浮遊せず自重で海底に沈下するに足る重量を有することが望ましい。
【００１４】
また、該籠状に形成した枠体中に同時に天然石、コンクリート塊、金属塊等を同時に収納することも有効である。これらの材料を同時に収納することによって自重を高め、浮遊・流失などのリスクを低減することが出来ると同時に、海藻の育成に有効であるとの説のあるブラックシリカやトルマリン等を混入することで効果を高めることや、海洋の栄養補給・賦活に有効であるとの説のある鉄分を含むもの、例として鋳鉄スラグなどを混入することによる効果をも期待することが出来る。
【００１５】
前記のようにして製造した海中設置用構造体を、船舶に積載して沖合の設置地点に搬送し、船上より海中に投入して設置を行った。ここで、本実施例に於いては本発明に係る海中設置用構造体をそのまま海中に投入し、これが沈潜して海底に設置されるようにしたが、本発明に係る海中設置用構造体を複数ロープ等を用いて連結することにより、海流等による移動流失等に対して強いものとすることも出来る。
【００１６】
本発明の方法によって形成された海中設置用構造体は、海中で海藻類の定着がよく、且つその成長も早く、非常に有効であることが判明した。また、本発明のた海中設置用構造体に於ける植物性材料はそれが破砕収納されていることとも相俟って、ヨコエビ類やフナクイムシ類などの魚類にとって好適な餌となる生物の定着成長に与って効果があり、魚類を含めた水産資源の賦活に非常に有効であった。また、植物性材料がネット状の袋に収納されてなる構成要素のみでは浮遊・流失を回避することが困難であったがこれを簡便な方法で回避することが出来、またハンドリングも容易になって作業効率の向上という効果も得られた。
【実施例２】
【００１７】
次に、本発明に係る他の実施の形態として、海中に設置して魚類の定着育成及び／又は魚類の餌となる生物の育成増殖及び／又は海藻類の付着育成を図るための構造体であって該構造体は棒状及び／又は索状の材料を用いて籠状に形成した枠体中に少なくとも間伐材または建設廃材を原料とする木材チップを含む林産物や穀類副産物などの植物性材料がネット状の袋に収納されてなる構成要素を収納してなり、該籠状に形成した枠体はその一部に突起を有するようにして用いた。図３は本実施例にかかる海中設置用構造体の一例を示す図である。ここで、３１は突起部を示す。
【００１８】
本実施例の方法によれば、海中で海藻類の定着がよく、且つその成長も早く、非常に有効であることが判明した。また、本発明のた海中設置用構造体に於ける植物性材料はそれが破砕収納されていることとも相俟って、ヨコエビ類やフナクイムシ類などの魚類にとって好適な餌となる生物の定着成長に与って効果があり、魚類を含めた水産資源の賦活に非常に有効であった。また、簡便な構造で特に海底が砂礫、泥等の場合に突起が海底に刺さることによって流失・移動のリスクが低減して非常に有効であった。
【００１９】
さらに本実施例の方法によれば、突起によって構造体の下部に空隙を形成することが可能になる。これは、水産資源の賦活に於いて例えばウニ・アワビ類などの隠れ場所を与え、また魚類の産卵場所や稚魚の隠れ場所を与える効果があり、非常に有効であった。本発明にかかる構造体は海中で多段に積み上げて活用することも可能であり、この際にも本実施例にかかる突起は構造体間に間隙を生ぜしめ、ウニ・アワビ類などの隠れ場所を与え、また魚類の産卵場所や稚魚の隠れ場所を与える効果を発揮することが出来る。
【実施例３】
【００２０】
次に、本発明に係る他の実施の形態として、海中に設置して魚類の定着育成及び／又は魚類の餌となる生物の育成増殖及び／又は海藻類の付着育成を図るための構造体を用いた水産資源の賦活方法であって、該構造体は棒状及び／又は索状の材料を用いて籠状に形成した枠体中に少なくとも間伐材または建設廃材を原料とする木材チップを含む林産物や穀類副産物などの植物性材料がネット状の袋に収納されてなる構成要素を収納してなり、該構造体を当初は海藻類の付着育成が盛んな浅海に設置して海藻類を定着させた後に魚類やアワビ、ウニ等の水産資源の賦活に有効な海域に移設し、これにより魚類の定着育成及び／又は海藻類の付着育成をようにして用いた。
【００２１】
本発明の方法によれば、先に海藻類の付着育成が盛んな浅海に設置することにより短期間で多くの海藻類を定着繁茂することが出来、さらにこれを魚類やアワビ、ウニ等の水産資源の賦活に有効な海域に移設することで、水産資源の賦活効率を格段に向上させることが出来る。
【００２２】
また、本発明のた海中設置用構造体に於ける植物性材料はそれが破砕収納されていることとも相俟って、ヨコエビ類やフナクイムシ類などの魚類にとって好適な餌となる生物の定着成長に与って効果があり、魚類を含めた水産資源の賦活に非常に有効であった。
【産業上の利用可能性】
【００２３】
海中に設置して魚類の定着育成及び／又は魚類の餌となる生物の育成増殖及び／又は海藻類の付着育成を図るため、該構造体は棒状及び／又は索状の材料を用いて籠状に形成した枠体中に少なくとも間伐材または建設廃材を原料とする木材チップを含む林産物や穀類副産物などの植物性材料がネット状の袋に収納されてなる構成要素を収納した構造体を用いる事により、簡便な方法によって安価に非常に海藻類の定着が容易く海藻自身の養殖漁業として有効であり、さらに漁礁或いは魚類の産卵場所として漁業資源の賦活に寄与する海中設置用構造体を得ることが出来、また様々な使用法によりその賦活効果を高めることが出来、以って産業に多大なる貢献をする事が出来るものである。
【図面の簡単な説明】
【００２４】
【図１】本発明にかかる海中設置用構造体の一例を示す略図である。（実施例１）
【図２】本発明にかかる海中設置用構造体に用いる枠体の一例を示す略図である。（実施例１）
【図３】本発明にかかる海中設置用構造体の一例を示す略図である。（実施例１）
【符号の説明】
【００２５】
１１    木材チップを含む林産物や穀類副産物などの植物性材料がネット状の袋に収納されてなる構成要素
１２    枠体
２１    蓋部
３１    突起部
【図１】
2008048687.tif 000003
【図２】
2008048687.tif 000004
【図３】
2008048687.tif 000005